(57)【要約】      （修正有）【課題】ソケットを分離したときにＯリングが脱落することがなく、袋ナットを誰でも適正に締め付けられ、緩むことがない樹脂管用管継手を提供する。【解決手段】管継手は、ＡソケットとＢソケットと袋ナット３とＯリング４とから構成される。Ａソケットは、一端側に管挿入部１ａを備え、他端側にＢソケットの嵌合凸部が嵌合する嵌合部を備え、外周には雄ねじが形成されている。Ｂソケットは、一端に嵌合凸部を備え、その他端寄りに袋ナット３の端壁３ｆに当接するフランジを備えている。そして、他端側には管挿入部２ｄを備えており、嵌合凸部にはＯリング４を嵌入する溝を備えている。また、袋ナット３を適正に締め付けるためＡソケットの雄ねじの近傍に係止材１ｄを立設するとともに、袋ナット３の端面に係止材１ｄに当接する第１突起と、第２突起を設けた。【選択図】図１
2018048697.tif 000002
【特許請求の範囲】
【請求項１】
樹脂管をそれぞれ嵌挿したＡソケットとＢソケットを袋ナットで連結する管継手において、該Ａソケットは、一端側に樹脂管が嵌挿される管挿入部を備え、他端側にＢソケットの嵌合凸部が嵌合する嵌合部を備えるとともに外周に雄ねじが形成され、該Ｂソケットは、一端に該嵌合凸部を備え、その他端寄りに該袋ナットの端壁に当接するフランジを備え、他端側には管が嵌挿される管挿入部を備えており、該嵌合凸部にはＯリングを嵌入する溝を備えたことを特徴とする樹脂管用管継手。
【請求項２】
前記Ａソケットの外周の雄ねじの近傍に樹脂管の長手方向へ撓むことが可能な係止材を立設するとともに、該袋ナットの端面に適正締め込み時に該係止材に当接する第１突起と、該袋ナットの緩みを防止するための第２突起とを設けたことを特徴とする請求項１記載の樹脂管用管継手。
【請求項３】
前記Ｂソケットの他端の外周に係止突起を設けるとともに、該袋ナットの端壁の開口部に該係止突起が挿通可能な逃げ溝を設けたことを特徴とする請求項１または請求項２に記載の樹脂管用管継手。
【発明の詳細な説明】
【技術分野】
【０００１】
本発明は、主として合成樹脂製の配管に使用される管継手に関するものである。
【背景技術】
【０００２】
例えば、浄化槽の空気配管のように比較的低圧である配管では、合成樹脂製の管が使用されている。この配管では清掃や点検などで樹脂管を外す必要がある箇所には、樹脂管を脱着可能、または、複数の樹脂管を固着した継手を分離できるようにした管継手が使用されている。後者の管継手には、種々の形式のものがあるが、互いに突き合わせる端面を備えたソケットに樹脂管を嵌挿固着し、該ソケットの一方の端面にＯリングを介装し袋ナットで両ソケットを締結するようにしたもの（例えば、特許文献１参照）が、広く使用されている。
具体的には、図７に示すように、一端に端面を備え樹脂管が嵌挿固着されるソケット２１と、端面にＯリング２５を介装し外周面に雄ねじ２２ａが形成され樹脂管が嵌挿固着されるソケット２２を、該端面同士を密着させ該雄ねじ２２ａに螺合する袋ナット２３で締結するようにしている。
【先行技術文献】
【特許文献】
【０００３】
【特許文献１】実開昭４７-３４１２５公報
【発明の開示】
【発明が解決しようとする課題】
【０００４】
特許文献１の管継手２０は、袋ナット２３を緩めてソケット２２の雄ねじから外れれば樹脂管を取り付けたソケット２１，２２を端面から分離することができ、再度取り付ける場合も簡便で、しかも、構造が簡素で部品点数も少ない。
しかしながら、袋ナット２３を緩めてソケット２１，２２を分離し、再度これを接続するまでの間にＯリング２５が脱落してしまい易いという問題がある。脱落したＯリングを見つけたとしても使用できない場合が多く、新しいものを用意しなければならず、作業が手間取ってしまう。
また、袋ナット２３の締め込みは、作業者に任されているので、袋ナット２３を締め過ぎて、ネジを傷めたり、締め込みが不足してシール機能が損なわれることもある。
また、袋ナット２３を緩めてソケット２１，２２を分離した場合、袋ナット２３を紛失してしまうこともある。
【０００５】
そこで、本発明は、ソケットを分離したときにＯリングが脱落することがない樹脂管用管継手を提供すること、また、袋ナットを誰でも適正に締め付けられ、緩むことがなく、さらには、ソケットを分離した場合に袋ナットが紛失することがない樹脂管用管継手を提供することを目的としている。
【課題を解決するための手段】
【０００６】
上記の目的を解決するため、本発明の管継手は、次のように構成した。すなわち、樹脂管をそれぞれ嵌挿したＡソケットとＢソケットを袋ナットで連結する管継手において、該Ａソケットは、一端側に樹脂管が嵌挿される管挿入部を備え、他端側にＢソケットの嵌合凸部が嵌合する嵌合部を備えるとともに外周に雄ねじが形成され、該Ｂソケットは、一端に該嵌合凸部を備え、その他端寄りに該袋ナットの端壁に当接するフランジを備え、他端側には管が嵌挿される管挿入部を備えており、該嵌合凸部にはＯリングを嵌入する溝を備えたことを特徴としている。
【０００７】
本発明の管継手は樹脂管をそれぞれ固着したＡソケットとＢソケットを袋ナットで締結するようにしたもので、シーリングはＢソケットの嵌合凸部をＡソケットの嵌合部へ嵌合する構造とし、嵌合凸部に溝を設けてＯリングを嵌入している。Ｏリングを溝へ嵌入する場合はＯリングを拡げて行うので、ＡソケットとＢソケットを分離しても溝から脱落することがない。
Ａソケットの一端側は、エルボ、ティー、クロスとすることができる。
Ｂソケットの嵌合凸部は、ＡソケットとＢソケットを脱着するときの分離必要距離であるので、軸方向の長さをできるだけ短くするのが望ましい。
【０００８】
袋ナットは、適正に締め付けられ、かつ、締付状態が保持される必要があり、ロックナットを用いてもよいが、請求項２に記載のように、Ａソケットの外周の雄ねじの近傍に樹脂管の長手方向へ撓むことが可能な係止材を立設するとともに、該袋ナットの端面に適正締め込み時に該係止材に当接する第１突起と、該袋ナットの緩みを防止するための第２突起とを設けるとよい。
【０００９】
係止材は、袋ナットを締め込んだり緩めるときに、第１突起および第２突起と係合するが、力を入れて袋ナットを回転させることにより、係止材を撓ませて乗り越えられることが必要である。形状は特に限定しないが、棒状として継手本体または袋ナットと一体成形するのがよい。
【００１０】
第１突起は、袋ナットが適正に締め込まれたときに係止材に当接するもので、力を入れて回転させても乗り越えられないものである。
第２突起は、袋ナットが緩まないように保持するためのもので、その位置は、袋ナットのねじ込み方向で、第１突起の手前側であり、第１突起から係止材の幅寸法またはそれより若干広い寸法離れたものとすればよい。第２突起は、袋ナットを力を入れて回転させることにより係止材を撓ませて乗り越え可能なものであり、突出量の小さいものでよい。
【００１１】
係止材、第１突起、第２突起、それぞれ、１個でもよいが、２個にするのが望ましい。この場合は、１８０度ずらした位置に設けるとよい。
【００１２】
袋ナットを緩めＡソケットの雄ねじから外れると、Ｂソケットに嵌挿固着された樹脂管に移動し、かなり、離れた位置に行ってしまい易い。このため、再度ＡソケットとＢソケットを連結する作業が手間取ることになる。これを防止するためには、請求項３に記載のように、Ｂソケットの他端の外周に係止突起を設けるとともに、該袋ナットの端壁の開口部に該係止突起が挿通可能に逃げ溝を設けるとよい。これにより、袋ナットは、緩めた場合Ｂソケットの係止突起に当接しＢソケットから離脱しない。
【発明の効果】
【００１３】
上記のように、本発明の樹脂管用管継手は、一端側に管挿入部を備え他端側に雄ねじが形成されたＡソケットと、該雄ねじに螺合する袋ナットと、該Ａソケットの他端側に設けた嵌合部に嵌合する嵌合凸部を一端に備えるとともに、他端側に管挿入部と該袋ナットに当接するフランジを備えたＢソケットと、Ｂソケットの該嵌合凸部に設けた溝に嵌入されるＯリングとからなるので、保守点検などでＡソケットとＢソケットを分離した場合にＯリングが脱落することはない。
【００１４】
また、これに加えて、Ａソケットの外周の雄ねじの近傍に樹脂管の長手方向へ撓むことが可能な係止材を立設するとともに、該袋ナットの端面に適正締め込み時に該係止材に当接する第１突起と、該袋ナットの緩みを防止するための第２突起とを設け（請求項２）れば、袋ナットを誰でも同じように適正に締め付けることができ、しかも、緩むことがない。
さらに、Ｂソケットの他端の外周に係止突起を設けるとともに、該袋ナットの端壁の開口部に該係止突起が挿通可能に逃げ溝を設け（請求項３）れば、袋ナットを緩めてＡソケットとＢソケットを分離させても、袋ナットがＢソケットに繋がったままであり、離れたところへ行ってしまうことが防止される。
【図面の簡単な説明】
【００１５】
【図１】本発明の樹脂管用管継手の実施の形態を示す正面断面図である。
【図２】同、樹脂管用管継手の全体を示す斜視図である。
【図３】同、Ａソケットの斜視図である。
【図４】同、Ｂソケットの斜視図である。
【図５】同、袋ナットの斜視図である。
【図６】樹脂管用管継手を浄化槽の配管に使用した状態を示す配管取付図である。
【図７】従来の樹脂管用管継手を示す正面図である。
【発明を実施するための形態】
【００１６】
本発明の管継手の実施の形態を図面に基づいて説明する。
図６は、浄化槽の空気配管の一部を示すもので、エア源に接続された樹脂管１２に、ティ継手１３、エルボ１４を介して分岐しそれぞれ管継手１０を介して調整弁１５に接続されている。なお、図において、１６は樹脂管である。
図１は、管継手１０の正面断面図であり、Ａソケット１とＢソケット２と袋ナット３とＯリング４とから構成されている。図２は全体を示す斜視図で、一点鎖線は樹脂管５を示している。また、図３〜図５は、それぞれＡソケット１、Ｂソケット２、袋ナット３の斜視図である。
【００１７】
Ａソケット１は、図２および図３に示すように、一端側には樹脂管５が挿入される管挿入部１ａを備え、他端側はＢソケット２の嵌合凸部２ａが嵌合する嵌合部１ｅが形成されている。そして、他端側の外周面には袋ナット３が螺合する雄ねじ１ｃが形成され、その一端側寄りには係止材１ｄが突設されている。
なお、一端側の管挿入部１ａは、ここでは、小径の案内筒１ｂが設けられ、樹脂管５は案内筒１ｂを外嵌するように嵌挿されるように構成されている。なお、奥には樹脂管５の先端が当接するストッパが設けられている。
また、係止材１ｄは、ここでは、幅６ｍｍ、厚さ１．５ｍｍ、高さ７ｍｍの棒状とし、外周に１８０度隔てて２個設けられている。なお、雄ねじ１ｃ側に向いた面は、第２突起を乗り越え易いように曲面に形成されている。
【００１８】
Ｂソケット２は、図２および図４に示すように、一端にＡソケット１の嵌合部１ｅに嵌合する嵌合凸部２ａを備え、他端側に樹脂管５が嵌挿される管挿入部２ｄを備えている。
なお、嵌合凸部２ａの軸方向の長さは、ここでは、５ｍｍとしている。
嵌合凸部２ａにはＯリング４を嵌入するための溝２ｃが設けられ、外周には袋ナット３の端壁３ｆに当接するフランジ２ｂが設けられている。さらに、他端の外周には袋ナット３に係合する係止突起２ｅが設けられている。
【００１９】
袋ナット３は、図５に示すように、内部に雌ねじ３ａが形成され、端面３ｂには、第１突起３ｃと第２突起３ｄが２個づつ１８０度隔てて設けられている。
第１突起３ｃは、端面３ｂから、３．５ｍｍ突出しており、第２突起３ｄは、端面３ｂから、１ｍｍ突出している。なお、端面３ｂの外径は３７ｍｍとしている。
袋ナット３の外周には手でねじ込み易くするため掴み部３ｅが円周４個所に設けられている。また、雌ねじ３ａの奥側には開口部３ｇが形成された端壁３ｆが設けられている。そして、開口部３ｇの一箇所にはＢソケット２の係止突起２ｅが通りぬけ可能な逃げ溝３ｈが設けられている。なお、上記説明したＡソケット１とＢソケット２と袋ナット３は合成樹脂製である。
【００２０】
次に、上記のように構成された管継手１０の作用について説明する。
まず、Ａソケット１の一端側の管挿入部１ａに樹脂管５をストッパに当たるまで挿入し接着剤で固着する。次に、Ｂソケット２の溝２ｃにＯリング４を嵌入し、袋ナット３を係止させ、樹脂管５を管挿入部２ｄにストッパ２ｆに当たるまで挿入し、接着剤で固着する。
Ｂソケット２に袋ナット３を係止させるには、袋ナット３の端壁３ｆの開口部３ｇに設けられた逃げ溝３ｈがＢソケット２の係止突起２ｅを通過するようにして組み付ける。
次に、Ａソケット１の他端側の嵌合部１ｅにＢソケット２の一端の嵌合凸部２ａを嵌合させ、袋ナット３を雄ねじ１ｃにねじ込む。
【００２１】
袋ナット３をねじ込んで行くと、袋ナット３の第１突起３ｃがＡソケット１の係止材１ｄと係合する。このときの状態は、第１突起３ｃの先端部のみが係止材３に係合しているだけなので、袋ナット３を、力を入れて締め込むことにより、第１突起３ｃが係止材３を撓ませて乗り越えることができる。
そして、さらに、袋ナット３をねじ込んで行くと、第２突起３ｄに係合するが、突起が低いので強く締め込むことにより係合材１ｄを撓ませて乗り越えることができる。そして図２に示すように、係止材１ｄは一端は第１突起３ｃに当接し他端は第２突起３ｄに当接する。すなわち、係止材１ｄは第１突起３ｃと第２突起３ｄに挟持された状態となってネジが緩むことはない。
【００２２】
保守点検などで樹脂管５を外す（Ａソケット１とＢソケット２を分離する）場合は、袋ナット３がＡソケット１の雄ねじ１ｃから外れるまで緩めるが、第２突起３ｄが係止材１ｄと係合しているので、力を入れて緩めて、係止材１ｄを撓ませて乗り越える。
袋ナット３が外れたら、Ｂソケット２はＡソケット１の嵌合部１ｅから分離できる。
この時Ｏリング４はＢソケット２の溝２ｃに嵌合しているので、脱落することはない。
また、袋ナット３は、Ｂソケット２のフランジ２ｂと他端に突設された係止突起２ｅによって、Ｂソケット２から離脱されない。
【００２３】
上記の実施の形態においては、理解を容易にするため具体的な寸法を入れて説明したが、本発明がこれに限定するものではないことはいうまでもない。
【符号の説明】
【００２４】
１  Ａソケット
１ａ  管挿入部
１ｂ  案内筒
１ｃ  雄ねじ
１ｄ  係止材
１ｅ  嵌合部
２  Ｂソケット
２ａ  嵌合凸部
２ｂ  フランジ
２ｃ  溝
２ｄ  管挿入部
２ｅ  係止突起
２ｆ  ストッパ
３  袋ナット
３ａ  雌ねじ
３ｂ  端面
３ｃ  第１突起
３ｄ  第２突起
３ｅ  掴み部
３ｆ  端壁
３ｇ  開口部
３ｈ  逃げ溝
４  Ｏリング
５  樹脂管
１０  管継手
１２、１３，１４  樹脂管
１５  調整弁
１６  樹脂管
２０  管継手
２１  ソケット
２２  ソケット
２２ａ  雄ねじ
２３  袋ナット
２５  Ｏリング
【図１】
2018048697.tif 000003
【図２】
2018048697.tif 000004
【図３】
2018048697.tif 000005
【図４】
2018048697.tif 000006
【図５】
2018048697.tif 000007
【図６】
2018048697.tif 000008
【図７】
2018048697.tif 000009